【手続補正書】
【提出日】平成18年11月14日(2006.11.14)
【手続補正１】
【補正対象書類名】明細書
【補正対象項目名】特許請求の範囲
【補正方法】変更
【補正の内容】
【特許請求の範囲】
【請求項１】 
情報処理装置により生成された制御情報に基づき、印刷された出力媒体の並び替えを制御する印刷制御装置であって、
前記出力媒体から印刷ジョブを識別するための情報と、当該印刷ジョブのページ番号と、を特定するためのジョブ情報パターンを読み取る複数の読取手段と、
前記ジョブ情報パターンが形成された出力媒体を収納し、供給することが可能な複数の供給部と、
前記複数の供給部に収納されている出力媒体を、前記読取手段の読取結果に基づいて、前記印刷ジョブを構成するページ単位に識別する識別手段と、
前記ページ単位に識別された出力媒体の中に、前記情報処理装置により生成された制御情報に従い前記印刷ジョブを構成するページの順番に並び替えるための出力媒体が有るか判断する判断手段と、
前記判断手段の判断結果により該当する出力媒体を前記供給部から排出トレイに供給させて前記印刷ジョブを構成するページの順番に並び替える制御手段と、
を備えることを特徴とする印刷制御装置。
【請求項２】 
前記判断手段は、前記複数の供給部を構成する一の供給部に収納されている出力媒体中に該当ページの出力媒体が無い場合は、前記複数の供給部を構成する他の供給部に検索を切り替えて、該当ページの有無を判断することを特徴とする請求項１に記載の印刷制御装置。
【請求項３】 
前記判断手段は、該当ページの出力媒体が、前記複数の供給部に収納されていないと判断した場合は、前記該当ページは欠落と判断することを特徴とする請求項２に記載の印刷制御装置。
【請求項４】 
前記制御手段は、前記判断手段の判断に従い、前記該当ページの欠落が無い場合は、前記供給部に前記出力媒体を、正常なページの順番に並び替えられた出力媒体を収容する排出トレイに供給させ、
前記該当ページの欠落が有る場合は、前記供給部に該出力媒体を、欠落を含む出力媒体を収容する排出トレイに供給させることを特徴とする請求項３に記載の印刷制御装置。
【請求項５】 
ネットワーク網を介して、前記情報処理装置と接続し、前記出力媒体の並び替えを制御するための情報を送受信することが可能な通信手段を更に備え、
該通信手段は、前記判断手段によりページの欠落が判断された場合に、前記印刷ジョブを識別するための情報に基づく印刷ジョブ名と、その欠落ページ番号を前記情報処理装置に報知し、再印刷を要求することを特徴とする請求項１に記載の印刷制御装置。
【請求項６】 
前記制御手段は、前記判断手段により判断されたページの欠落を含む出力媒体と、前記再印刷された欠落ページに対応する出力媒体と、に対して、前記制御情報に従った再度の並び替えを実行することを特徴とする請求項５に記載の印刷制御装置。
【請求項７】 
前記ジョブ情報パターンは、不可視光領域の光を反射するインクにより形成されることを特徴とする請求項１に記載の印刷制御装置。
【請求項８】 
前記読取手段は、前記不可視光領域の光の受光に基づき、前記出力媒体から印刷ジョブを識別するための情報と、当該印刷ジョブのページ番号と、を特定するためのジョブ情報パターンを読み取ることを特徴とする請求項７に記載の印刷制御装置。
【請求項９】 
情報処理装置により生成された制御情報に基づき、印刷された出力媒体の並び替えを制御する印刷制御方法であって、
前記出力媒体から印刷ジョブを識別するための情報と、当該印刷ジョブのページ番号と、を特定するためのジョブ情報パターンを複数の読取手段により読み取る読取工程と、
前記ジョブ情報パターンが形成された出力媒体を収納し、供給することが可能な複数の供給部に収納されている出力媒体を、識別手段が、前記読取工程の読取結果に基づいて、前記印刷ジョブを構成するページ単位に識別する識別工程と、
前記ページ単位に識別された出力媒体の中に、前記情報処理装置により生成された制御情報に従い前記印刷ジョブを構成するページの順番に並び替えるための出力媒体が有るか、判断手段が判断する判断工程と、
前記判断工程の判断結果により該当する出力媒体を制御手段が、前記供給部から排出トレイに供給させて前記印刷ジョブを構成するページの順番に並び替える制御工程と、
を備えることを特徴とする印刷制御方法。
【請求項１０】 
前記判断工程は、前記複数の供給部を構成する一の供給部に収納されている出力媒体中に該当ページの出力媒体が無い場合は、前記複数の供給部を構成する他の供給部に検索を切り替えて、該当ページの有無を判断することを特徴とする請求項９に記載の印刷制御方法。
【請求項１１】 
前記判断工程は、該当ページの出力媒体が、前記複数の供給部に収納されていないと判断した場合は、前記該当ページは欠落と判断することを特徴とする請求項１０に記載の印刷制御方法。
【請求項１２】 
前記制御工程は、前記判断工程の判断処理に従い、前記該当ページの欠落が無い場合は、前記供給部に前記出力媒体を、正常なページの順番に並び替えられた出力媒体を収容する排出トレイに供給させ、
前記該当ページの欠落が有る場合は、前記供給部に該出力媒体を、欠落を含む出力媒体を収容する排出トレイに供給させることを特徴とする請求項１１に記載の印刷制御方法。
【請求項１３】 
ネットワーク網を介して、前記情報処理装置と接続し、前記出力媒体の並び替えを制御するための情報を送受信するための処理を実行する通信工程を更に備え、
該通信工程は、前記判断工程によりページの欠落が判断された場合に、前記印刷ジョブを識別するための情報に基づく印刷ジョブ名と、その欠落ページ番号を前記情報処理装置に報知し、再印刷を要求することを特徴とする請求項９に記載の印刷制御方法。
【請求項１４】 
前記制御工程は、前記判断工程により判断されたページの欠落を含む出力媒体と、前記再印刷された欠落ページに対応する出力媒体と、に対して、前記制御情報に従った再度の並び替えを実行することを特徴とする請求項１３に記載の印刷制御方法。
【請求項１５】 
請求項９乃至１４のいずれか１項に記載の印刷制御方法をコンピュータに実行させることを特徴とするコンピュータプログラム。
【請求項１６】 
請求項１５に記載のコンピュータプログラムを格納したことを特徴とするコンピュータ可読の記憶媒体。
【手続補正２】
【補正対象書類名】明細書
【補正対象項目名】００１７
【補正方法】変更
【補正の内容】
【００１７】
すなわち、情報処理装置により生成された制御情報に基づき、印刷された出力媒体の並び替えを制御する印刷制御装置は、
前記出力媒体から印刷ジョブを識別するための情報と、当該印刷ジョブのページ番号と、を特定するためのジョブ情報パターンを読み取る複数の読取手段と、
前記ジョブ情報パターンが形成された出力媒体を収納し、供給することが可能な複数の供給部と、
前記複数の供給部に収納されている出力媒体を、前記読取手段の読取結果に基づいて、前記印刷ジョブを構成するページ単位に識別する識別手段と、
前記ページ単位に識別された出力媒体の中に、前記情報処理装置により生成された制御情報に従い前記印刷ジョブを構成するページの順番に並び替えるための出力媒体が有るか判断する判断手段と、
前記判断手段の判断結果により該当する出力媒体を前記供給部から排出トレイに供給させて前記印刷ジョブを構成するページの順番に並び替える制御手段と、
を備えることを特徴とする。
【手続補正３】
【補正対象書類名】明細書
【補正対象項目名】００１８
【補正方法】変更
【補正の内容】
【００１８】
好ましくは、上記の印刷制御装置において、前記判断手段は、前記複数の供給部を構成する一の供給部に収納されている出力媒体中に該当ページの出力媒体が無い場合は、前記複数の供給部を構成する他の供給部に検索を切り替えて、該当ページの有無を判断することを特徴とする。
【手続補正４】
【補正対象書類名】明細書
【補正対象項目名】００２０
【補正方法】変更
【補正の内容】
【００２０】
好ましくは、上記の印刷制御装置において、前記制御手段は、前記判断手段の判断に従い、前記該当ページの欠落が無い場合は、前記供給部に前記出力媒体を、正常なページの順番に並び替えられた出力媒体を収容する排出トレイに供給させ、
前記該当ページの欠落が有る場合は、前記供給部に該出力媒体を、欠落を含む出力媒体を収容する排出トレイに供給させることを特徴とする。
【手続補正５】
【補正対象書類名】明細書
【補正対象項目名】００２１
【補正方法】変更
【補正の内容】
【００２１】
好ましくは、上記の印刷制御装置において、ネットワーク網を介して、前記情報処理装置と接続し、前記出力媒体の並び替えを制御するための情報を送受信することが可能な通信手段を更に備え、
該通信手段は、前記判断手段によりページの欠落が判断された場合に、前記印刷ジョブを識別するための情報に基づく印刷ジョブ名と、その欠落ページ番号を前記情報処理装置に報知し、再印刷を要求することを特徴とする。
【手続補正６】
【補正対象書類名】明細書
【補正対象項目名】００２２
【補正方法】変更
【補正の内容】
【００２２】
好ましくは、上記の印刷制御装置において、前記制御手段は、前記判断手段により判断されたページの欠落を含む出力媒体と、前記再印刷された欠落ページに対応する出力媒体と、に対して、前記制御情報に従った再度の並び替えを実行することを特徴とする。
【手続補正７】
【補正対象書類名】明細書
【補正対象項目名】００２３
【補正方法】変更
【補正の内容】
【００２３】
また、情報処理装置により生成された制御情報に基づき、印刷された出力媒体の並び替えを制御する印刷制御方法は、
前記出力媒体から印刷ジョブを識別するための情報と、当該印刷ジョブのページ番号と、を特定するためのジョブ情報パターンを複数の読取手段により読み取る読取工程と、
前記ジョブ情報パターンが形成された出力媒体を収納し、供給することが可能な複数の供給部に収納されている出力媒体を、識別手段が、前記読取工程の読取結果に基づいて、前記印刷ジョブを構成するページ単位に識別する識別工程と、
前記ページ単位に識別された出力媒体の中に、前記情報処理装置により生成された制御情報に従い前記印刷ジョブを構成するページの順番に並び替えるための出力媒体が有るか、判断手段が判断する判断工程と、
前記判断工程の判断結果により該当する出力媒体を制御手段が、前記供給部から排出トレイに供給させて前記印刷ジョブを構成するページの順番に並び替える制御工程と、
を備えることを特徴とする。
【手続補正８】
【補正対象書類名】明細書
【補正対象項目名】００２４
【補正方法】変更
【補正の内容】
【００２４】
好ましくは、上記の印刷制御方法において、前記判断工程は、前記複数の供給部を構成する一の供給部に収納されている出力媒体中に該当ページの出力媒体が無い場合は、前記複数の供給部を構成する他の供給部に検索を切り替えて、該当ページの有無を判断することを特徴とする。
【手続補正９】
【補正対象書類名】明細書
【補正対象項目名】００２６
【補正方法】変更
【補正の内容】
【００２６】
好ましくは、上記の印刷制御方法において、前記制御工程は、前記判断工程の判断処理に従い、前記該当ページの欠落が無い場合は、前記供給部に前記出力媒体を、正常なページの順番に並び替えられた出力媒体を収容する排出トレイに供給させ、
前記該当ページの欠落が有る場合は、前記供給部に該出力媒体を、欠落を含む出力媒体を収容する排出トレイに供給させることを特徴とする。
【手続補正１０】
【補正対象書類名】明細書
【補正対象項目名】００２７
【補正方法】変更
【補正の内容】
【００２７】
好ましくは、上記の印刷制御方法において、ネットワーク網を介して、前記情報処理装置と接続し、前記出力媒体の並び替えを制御するための情報を送受信するための処理を実行する通信工程を更に備え、
該通信工程は、前記判断工程によりページの欠落が判断された場合に、前記印刷ジョブを識別するための情報に基づく印刷ジョブ名と、その欠落ページ番号を前記情報処理装置に報知し、再印刷を要求することを特徴とする。
【手続補正１１】
【補正対象書類名】明細書
【補正対象項目名】００２８
【補正方法】変更
【補正の内容】
【００２８】
好ましくは、上記の印刷制御方法において、前記制御工程は、前記判断工程により判断されたページの欠落を含む出力媒体と、前記再印刷された欠落ページに対応する出力媒体と、に対して、前記制御情報に従った再度の並び替えを実行することを特徴とする。
【手続補正１２】
【補正対象書類名】明細書
【補正対象項目名】００２９
【補正方法】変更
【補正の内容】
【００２９】
また、コンピュータプログラムは、上記の印刷制御方法をコンピュータに実行させることを特徴とする。
【手続補正１３】
【補正対象書類名】明細書
【補正対象項目名】００３０
【補正方法】変更
【補正の内容】
【００３０】
また、コンピュータ可読の記憶媒体は、上記のコンピュータプログラムを格納したことを特徴とする。